(57)【要約】【課題】  汎用性の高いインクジェットヘッド制御装置及びインクジェットプリンタを提供する。【解決手段】  一実施形態に係るインクジェットヘッド制御装置は、親基板と、前記親基板に接続される１つ以上の子基板と、を具備し、前記親基板は、それぞれ異なるアドレスが設定された子基板接続用の複数のコネクタと、複数の前記コネクタに接続される前記子基板に対して、アドレスを指定して、インクジェットヘッドへの電源供給を制御する制御信号を送信する通信回路と、を備え、前記子基板は、前記コネクタに接続された時に自身のアドレスを認識し、前記親基板から送信された前記制御信号で指定されたアドレスと自身のアドレスと一致するか否か判断する判定回路と、前記親基板から送信された前記制御信号で指定されたアドレスと自身のアドレスとが一致すると判定された場合、前記制御信号に基づいて前記インクジェットヘッドを駆動する為の直流電圧を前記インクジェットヘッドに出力する電圧生成回路と、を具備する。【選択図】図２
2018161785.tif 000002
【特許請求の範囲】
【請求項１】
親基板と、
前記親基板に接続される１つ以上の子基板と、
を具備し、
前記親基板は、
それぞれ異なるアドレスが設定された子基板接続用の複数のコネクタと、
複数の前記コネクタに接続される前記子基板に対して、アドレスを指定して、インクジェットヘッドへの電源供給を制御する制御信号を送信する通信回路と、
を備え、
前記子基板は、
前記コネクタに接続された時に自身のアドレスを認識し、前記親基板から送信された前記制御信号で指定されたアドレスと自身のアドレスと一致するか否か判断する判定回路と、
前記親基板から送信された前記制御信号で指定されたアドレスと自身のアドレスとが一致すると判定された場合、前記制御信号に基づいて前記インクジェットヘッドを駆動する為の直流電圧を前記インクジェットヘッドに出力する電圧生成回路と、
を具備するインクジェットヘッド制御装置。
【請求項２】
前記電圧生成回路は、前記制御信号に基づいて前記直流電圧の電圧値を変更する請求項１に記載のインクジェットヘッド制御装置。
【請求項３】
複数の前記コネクタは、接地状態または開放状態である複数の信号線を備え、複数の前記信号線の接地状態と開放状態との組合せによって前記子基板に対してアドレスを供給する請求項１に記載のインクジェットヘッド制御装置。
【請求項４】
前記通信回路と複数の前記コネクタとは、Ｉ２Ｃバスによってパーティライン接続される請求項１に記載のインクジェットヘッド制御装置。
【請求項５】
印刷媒体に対して画像を形成するインクジェットヘッドと、
親基板と、
前記親基板に接続される１つ以上の子基板と、
を具備し、
前記親基板は、
それぞれ異なるアドレスが設定された子基板接続用の複数のコネクタと、
複数の前記コネクタに接続される前記子基板に対して、アドレスを指定して、前記インクジェットヘッドへの電源供給を制御する制御信号を送信する通信回路と、
を備え、
前記子基板は、
前記コネクタに接続された時に自身のアドレスを認識し、前記親基板から送信された前記制御信号で指定されたアドレスと自身のアドレスと一致するか否か判断する判定回路と、
前記親基板から送信された前記制御信号で指定されたアドレスと自身のアドレスとが一致すると判定された場合、前記制御信号に基づいて前記インクジェットヘッドを駆動する為の直流電圧を前記インクジェットヘッドに出力する電圧生成回路と、
を具備するインクジェットプリンタ。
【発明の詳細な説明】
【技術分野】
【０００１】
本発明の実施形態は、インクジェットヘッド制御装置及びインクジェットプリンタに関する。
【背景技術】
【０００２】
印刷データに応じて図柄を印刷するインクジェットプリンタが実用化されている。インクジェットプリンタは、例えば、インクジェットヘッドと、インクジェットヘッドを制御するインクジェットヘッド制御装置（インクジェットヘッド制御回路）とを備える。インクジェットヘッド制御装置は、ホストＰＣから入力されたデータに基づいて、インクジェットヘッドに画像データ及び直流電圧を供給する。インクジェットヘッドは、インクジェットヘッド制御装置から供給された画像データ及び直流電圧に基づいて、インクを吐出する為のアクチュエータを駆動し、印刷媒体上に画像を形成する。
【０００３】
インクジェットヘッドは、単色印刷用、複数色印刷用などのように、列数が異なる種類のものがある。インクジェットプリンタは、装着されるインクジェットヘッドの列数に応じたインクジェットヘッド制御装置を備える必要がある。即ち、インクジェットプリンタは、インクジェットプリンタの仕様に応じた種類のインクジェットヘッド制御装置を備える必要があるという課題がある。
【先行技術文献】
【特許文献】
【０００４】
【特許文献１】特開２０１６−２８８８２号公報
【発明の概要】
【発明が解決しようとする課題】
【０００５】
本発明は、汎用性の高いインクジェットヘッド制御装置及びインクジェットプリンタを提供することを目的とする。
【課題を解決するための手段】
【０００６】
一実施形態に係るインクジェットヘッド制御装置は、親基板と、前記親基板に接続される１つ以上の子基板と、を具備し、前記親基板は、それぞれ異なるアドレスが設定された子基板接続用の複数のコネクタと、複数の前記コネクタに接続される前記子基板に対して、アドレスを指定して、インクジェットヘッドへの電源供給を制御する制御信号を送信する通信回路と、を備え、前記子基板は、前記コネクタに接続された時に自身のアドレスを認識し、前記親基板から送信された前記制御信号で指定されたアドレスと自身のアドレスと一致するか否か判断する判定回路と、前記親基板から送信された前記制御信号で指定されたアドレスと自身のアドレスとが一致すると判定された場合、前記制御信号に基づいて前記インクジェットヘッドを駆動する為の直流電圧を前記インクジェットヘッドに出力する電圧生成回路と、を具備する。
【図面の簡単な説明】
【０００７】
【図１】図１は、一実施形態に係るインクジェットプリンタの構成の例について説明する為の図である。
【図２】図２は、一実施形態に係るインクジェットヘッドの一部の詳細な構成の例について説明する為の図である。
【発明を実施するための形態】
【０００８】
以下、一実施形態に係るインクジェットヘッド制御装置及びインクジェットプリンタについて図面を参照して説明する。  
まず、一実施形態に係るインクジェットプリンタ１について説明する。図１は、一実施形態に係るインクジェットプリンタ１の構成例を示す説明図である。また、図２は、一実施形態に係るインクジェットプリンタ１の一部の構成の例を示す説明図である。インクジェットプリンタ１は、インクジェット記録装置の一例である。
【０００９】
インクジェットプリンタ１は、ホストＰＣ（personal computer）から印刷データを受け取る。ホストＰＣは、例えば印刷機能を有するプログラム（プリンタドライバ）を実装する電子機器である。ホストＰＣは、プリンタドライバを実行することにより、印刷データ、及びインクジェットプリンタ１の設定を変更する為のコマンドなどをインクジェットプリンタ１に入力する。
【００１０】
インクジェットプリンタ１は、紙などの印刷媒体を搬送しながら印刷媒体上に印刷データに応じた画像を形成する。インクジェットプリンタ１は、たとえばインクジェット方式によって印刷媒体に画像を形成するプリンタである。インクジェットプリンタは、ホストＰＣから入力される印刷データに基づいて、印刷媒体に画像を形成する印刷処理を行う。
【００１１】
インクジェットプリンタ１は、通信部１１、表示部１２、操作部１３、搬送モータ１４、モータ駆動回路１５、ポンプ１６、ポンプ駆動回路１７、主制御部１８、インクジェットヘッド１９、信号処理基板２０、及び少なくとも１つ以上の電源ボード２１を備える。なお、図２は、インクジェットヘッド１９、信号処理基板２０、及び電源ボード２１の詳細な構成の例を示す。
【００１２】
通信部１１は、他の機器と通信する為のインタフェースである。通信部１１は、例えば、インクジェットプリンタ１に印刷データを送信する上位装置であるホストＰＣとの通信に用いられる。通信部１１は、Ｂｌｕｅｔｏｏｔｈ（登録商標）またはＷｉ−Ｆｉ（登録商標）などの規格に応じて他の機器と無線通信を行うものであってもよい。
【００１３】
表示部１２は、主制御部１８、または図示されないグラフィックコントローラなどの表示制御部から入力される映像信号に応じて画面を表示する表示装置である。例えば、表示部１２には、インクジェットプリンタ１の設定の為の画面が表示される。
【００１４】
操作部１３は、操作部材の操作に基づいて、操作信号を生成する。操作部材は、例えば、タッチセンサ、テンキー、電源キー、用紙フィードキー、種々のファンクションキー、またはキーボードなどである。タッチセンサは、例えば、抵抗膜式タッチセンサ、または静電容量式タッチセンサ等である。タッチセンサは、ある領域内において指定された位置を示す情報を取得する。タッチセンサは、上記の表示部１２と一体にタッチパネルとして構成されることにより、表示部１２に表示された画面上のタッチされた位置を示す信号を主制御部１８に入力する。
【００１５】
搬送モータ１４は、回転することによって、記録紙（印刷媒体）を搬送する為の図示されない搬送路の搬送部材を動作させる。搬送部材は、記録紙を搬送するベルト、ローラ、及びガイドなどである。搬送モータ１４は、記録紙を保持するベルトと連動して動作するローラを駆動することによって記録紙をガイドに沿って搬送させる。
【００１６】
モータ駆動回路１５は、搬送モータ１４を駆動する回路である。モータ駆動回路１５は、主制御部１８の制御に従って搬送モータ１４を駆動することにより、給紙カセットの記録紙をインクジェットヘッド１９を経由させて排紙トレイに搬送する。給紙カセットは、複数の記録紙を収容するカセットである。排紙トレイは、インクジェットプリンタ１によって画像形成されて排出された記録紙を収容する。
【００１７】
ポンプ１６は、例えばインクが保持されているインクタンク（図示せず）とインクジェットヘッド１９とを連通するチューブを備える。具体的には、チューブは、インクジェットヘッド１９の図示されない共通液室と連通されている。
【００１８】
ポンプ駆動回路１７は、主制御部１８の制御に従ってポンプ１６を駆動することによって、インクタンク内のインクをインクジェットヘッド１９の共通液室に供給させる。
【００１９】
主制御部１８は、インクジェットプリンタ１の制御を行う。主制御部１８は、例えば、ＣＰＵ（Central Processing Unit）３１、ＲＯＭ（Read Only Memory）３２、ＲＡＭ（Random Access Memory）３３、及び不揮発性メモリ３４を備える。
【００２０】
ＣＰＵ３１は、演算処理を実行する演算素子（たとえば、プロセッサ）を備える。ＣＰＵ３１は、ＲＯＭ３２に記憶されているプログラムなどのデータに基づいて種々の処理を行う。ＣＰＵ３１は、ＲＯＭ３２に格納されているプログラムを実行することにより、種々の動作を実行可能な制御部として機能する。例えば、ＣＰＵ３１は、モータ駆動回路１５の動作の制御、ポンプ駆動回路１７の動作の制御、及びインクジェットヘッド１９に入力する画像データの生成などを行う。例えば、ＣＰＵ３１は、ホストＰＣから印刷データを取得する。ＣＰＵ３１は、印刷データに基づき画像データを生成し、画像データをＲＡＭ３３上に展開する。
【００２１】
ＲＯＭ３２は、読み出し専用の不揮発性メモリである。ＲＯＭ３２は、プログラム及びプログラムで用いられるデータなどを記憶する。
【００２２】
ＲＡＭ３３は、ワーキングメモリとして機能する揮発性のメモリである。ＲＡＭ３３は、ＣＰＵ３１の処理中のデータなどを一時的に格納する。また、ＲＡＭ３３は、ＣＰＵ３１が実行するプログラムを一時的に格納する。
【００２３】
不揮発性メモリ３４は、種々の情報を記憶可能な記憶媒体（記憶部）である。不揮発性メモリ３４は、プログラム及びプログラムで用いられるデータなどを記憶する。不揮発性メモリ３４は、例えば、ソリッドステイトドライブ（ＳＳＤ）、ハードディスクドライブ（ＨＤＤ）、または他の記憶装置である。なお、不揮発性メモリ３４の代わりに、メモリカードなどの記憶媒体を挿入可能なカードスロットなどのメモリＩ／Ｆが設けられていてもよい。
【００２４】
インクジェットヘッド１９は、記録紙に画像を形成する為の画像形成部である。インクジェットヘッド１９は、図示されない保持ローラによって保持された記録紙に対してインクを吐出することにより、記録紙に画像を形成する。インクジェットヘッド１９は、例えばブラックなどの単色のインクに対応した構成であってもよいし、シアン、マゼンダ、イエロー、及びブラック等の複数色のインクに対応した構成であってもよい。図２に示されるように、インクジェットヘッド１９は、アクチュエータ４１、及びドライバＩＣ４２を備える。
【００２５】
アクチュエータ４１は、印加された電圧に応じて変形することによって、インクが充填されるインク液室の圧力室の圧力を変える圧電素子である。アクチュエータ４１は、ドライバＩＣ４２から入力された電圧によって駆動される。アクチュエータ４１が駆動されて圧力室内の圧力が低くなると、インク液室の共通液室からインク液室の圧力室にインクが引きこまれる。また、アクチュエータ４１が駆動されてインク液室の圧力室内の圧力が高くなると、インク液室の圧力室内のインクが、インク液室に設けられたノズルから吐出される。
【００２６】
インク液室は、インクが充填されるスペースである。インク液室は、共通液室と、ノズル毎にアクチュエータ４１によって区切られて構成された圧力室とを備える。共通液室は、インクタンクから供給されたインクが充填されるものである。圧力室は、アクチュエータ４１によって圧力が制御されるものである。
【００２７】
ノズルは、圧力室内のインクが吐出される孔である。ノズルは、ライン状に配列される。また、圧力室及び圧力室を構成するアクチュエータ４１は、ノズルが配列される方向に沿ってライン状に配列される。インクジェットヘッド１９は、ライン状に配列されたノズル及びアクチュエータによって構成されるインク吐出列を複数備える。
【００２８】
ドライバＩＣ４２は、アクチュエータ４１の電極に対して電位を与えることによって、アクチュエータ４１を駆動する。ドライバＩＣ４２は、１ライン分（１つのインク吐出列）毎にアクチュエータ４１を駆動する。ドライバＩＣ４２は、後述するインクジェットヘッド制御装置の制御に基づいて、アクチュエータ４１を駆動する。具体的には、ドライバＩＣ４２は、信号処理基板２０から画像データを取得する。また、ドライバＩＣ４２は、電源ボード２１から直流電圧の供給を受け取る。ドライバＩＣ４２は、電源ボード２１から供給された直流電圧と、信号処理基板２０から取得した画像データとに基づいて、アクチュエータ４１を駆動する駆動信号を生成する。ドライバＩＣ４２は、駆動信号をアクチュエータ４１に入力することにより、アクチュエータを駆動する。
【００２９】
例えば、インクジェットヘッド１９は、インク吐出列が２列のもの、インク吐出列が４列のもの、及びインク吐出列が６列のものなどがある。インク吐出列が２列のインクジェットヘッド１９（２列ヘッド）は、例えば、２列のインク吐出列から１色のインクを吐出することにより、高解像度に画像形成を行う。また、インク吐出列が４列のインクジェットヘッド１９（４列ヘッド）は、例えば、インク吐出列毎に異なる色のインクを吐出することにより、１色乃至４色で画像形成を行う。また、インク吐出列が６列のインクジェットヘッド１９（６列ヘッド）は、例えば、インク吐出列毎に異なる色のインクを吐出することにより、１色乃至６色で画像形成を行う。なお、ドライバＩＣ４２は、各インク吐出列毎に設けられていてもよいし、複数のインク吐出列毎に設けられていてもよい。また、１つのドライバＩＣ４２が全てのインク吐出列のアクチュエータ４１を駆動する構成であってもよい。
【００３０】
信号処理基板２０は、インクジェットヘッド１９へのデータ転送を行う回路、及びインクジェットヘッド１９への電源供給を制御する回路などが搭載された基板である。また、信号処理基板２０は、子基板としての電源ボード２１が接続される親基板として機能する。また、信号処理基板２０は、インクジェットヘッド１９にも接続される。信号処理基板２０は、電源ボード２１と組み合わせられることにより、インクジェットヘッド１９の動作を制御するインクジェットヘッド制御装置として機能する。より具体的には、１つ乃至３つの子基板としての電源ボード２１が、親基板としての信号処理基板２０上に搭載且つ接続されることにより、インクジェットヘッド１９の動作を制御するインクジェットヘッド制御装置が構成される。
【００３１】
図２に示されるように、信号処理基板２０は、データ出力回路５１、及び電源制御回路５２を備える。なお、図２は、インクジェットヘッド１９が４列ヘッドであり、信号処理基板２０に２つの電源ボード２１が接続されている例を示す。
【００３２】
データ出力回路５１は、ＣＰＵ３１によってＲＡＭ３３のページメモリ領域に展開された画像データをＤＭＡ転送制御によってインクジェットヘッド１９に出力する回路である。データ出力回路５１は、インクジェットヘッド１９における印字周波数に応じた転送レートで画像データをインクジェットヘッド１９に出力する。
【００３３】
電源制御回路５２は、インクジェットヘッド１９への電源供給を制御する回路である。電源制御回路５２は、信号処理基板２０に接続される少なくとも１つ以上の電源ボード２１の回路を制御する。図２に示されるように、電源制御回路５２は、通信回路５３、共通バス５４、複数のコネクタ５５、及び複数のアドレス回路５６を備える。なお、本例では、電源制御回路５２は、３つのコネクタ５５と、３つのアドレス回路５６を備えるものとして説明する。
【００３４】
通信回路５３は、複数のコネクタ５５に接続される電源ボード２１に対して、インクジェットヘッド１９への電源供給を制御する為の制御信号を送信する回路である。通信回路５３は、例えば、ＣＰＵ３１の制御に基づいて、ディジタルの制御信号を生成し、電源ボード２１に送信する。また、通信回路５３は、例えば、ＣＰＵ３１が生成したディジタルの制御信号をＣＰＵ３１から受け取り、電源ボード２１に送信する構成であってもよい。
【００３５】
通信回路５３は、例えばInter-Integrated Circuit（Ｉ２Ｃ）通信により電源ボード２１に制御信号を送信する。通信回路５３は、Ｉ２Ｃ通信におけるマスタとして機能する。
【００３６】
Ｉ２Ｃ通信は、マスタ側とスレーブ側とに分かれ、１つのマスタが複数のスレーブに対してデータを送信することが可能なシリアル通信方式である。Ｉ２Ｃ通信におけるマスタ側とスレーブ側との間は、シリアルクロック線（ＳＣＬ）及びシリアルデータ線（ＳＤＡ）によってパーティライン状に接続される。即ち、マスタのＳＣＬ及びＳＤＡが接続される端子が、複数のスレーブのＳＣＬ及びＳＤＡが接続される端子に共通のＳＣＬ及びＳＤＡを介して接続される。
【００３７】
マスタは、クロック信号をＳＣＬによって送信し、データをＳＤＡによって送信する。Ｉ２Ｃ通信におけるマスタ側は、複数のスレーブにそれぞれ割当てられたアドレスを指定してデータをＳＣＬ及びＳＤＡによって送信する。これにより、複数のスレーブは、マスタ側から送信されたデータを受け取り、受け取ったデータにおいて指定されたアドレスが、自身のアドレスと一致している場合、受け取ったデータに応じて処理を行う。
【００３８】
通信回路５３は、例えば、インクジェットヘッド１９に電源ボード２１から供給する直流電圧の電圧値と、アドレスとを情報として含む制御信号を生成する。通信回路５３は、生成した制御信号を、コネクタ５５に接続された回路に対して、共通バス５４を介して送信する。
【００３９】
共通バス５４は、通信回路５３とコネクタ５５とを接続する信号線である。共通バス５４は、１つの通信回路５３と、複数のコネクタ５５とを共通の信号線で接続する。共通バス５４は、例えば２つの信号線で構成される。共通バス５４の２つの信号線は、具体的にはＳＣＬ及びＳＤＡである。
【００４０】
コネクタ５５は、電源ボード２１が接続される回路及び接続部である。コネクタ５５は、例えば、共通バス５４を構成する２つ信号線と、アドレス回路５６に接続される３つの信号線とを備える。複数のコネクタ５５には、アドレス回路５６によってそれぞれ異なるアドレスが設定される。
【００４１】
アドレス回路５６は、コネクタ５５に接続される３つの信号線をそれぞれ接地状態（ＧＮＤに接続する状態）または開放状態（いずれにも接続しない状態：ＯＰＥＮ）で結線する。アドレス回路５６は、例えば信号線のＧＮＤとＯＰＥＮとを切り替えるディップスイッチとして構成される。アドレス回路５６は、接続されているコネクタ５５によって３つの信号線の接地状態と開放状態とを異なる組み合わせで結線する。図２の例では、それぞれ異なるコネクタ５５に接続されている３つのアドレス回路５６の３つの信号線は、GND-OPEN-OPEN、OPEN-GND-OPEN、OPEN-OPEN-GNDの組み合わせで結線されている。複数のアドレス回路５６は、コネクタ５５に接続された複数の信号線の接地状態と開放状態との組合せの同じものが信号処理基板２０上に設けられないように設計される。アドレス回路５６は、複数の信号線の接地状態と開放状態との組合せに応じたアドレスを電源ボード２１に対して供給する。
【００４２】
電源ボード２１は、図示されない商用電源から供給された交流電力に基づいて、インクジェットヘッド１９の仕様に応じた直流電圧を生成し、直流電圧をインクジェットヘッド１９に供給する。電源ボード２１は、親基板としての信号処理基板２０に接続される子基板として機能する。即ち、通信回路５３は、Ｉ２Ｃ通信におけるスレーブとして機能する。１枚の電源ボード２１は、例えばインクジェットヘッド１９の複数のインク吐出列のうちの２列を駆動する。
【００４３】
図２に示されるように、電源ボード２１は、ディジタルアナログコンバータ（ＤＡＣ）６１、及び電圧生成回路６２を備える。
【００４４】
ＤＡＣ６１は、電源ボード２１が接続される信号処理基板２０から供給されるディジタルの制御信号をアナログの制御信号に変換し、電圧生成回路６２に供給する。ＤＡＣ６１は、アドレス取得用の３つの端子（アドレス取得端子）と、制御信号が入力される２つの端子（制御信号入力端子）と、電圧生成回路６２に接続された１つの端子（出力端子）とを備える。
【００４５】
アドレス取得端子に接続される３本の信号線は、電源ボード２１上で抵抗を介して所定の電位にプルアップされている。アドレス取得端子は、信号処理基板２０に電源ボード２１が接続された場合に、信号処理基板２０の電源制御回路５２のアドレス回路５６に接続される。ＤＡＣ６１は、アドレス取得端子の電位を検出することによって、電源ボード２１が接続されたコネクタ５５のアドレスを取得する。具体的には、ＤＡＣ６１は、アドレス取得端子の電位を論理値として取得し、取得した論理値をアドレスとして扱う。
【００４６】
制御信号入力端子に接続されている２本の信号線は、信号処理基板２０に電源ボード２１が接続された場合に、信号処理基板２０の電源制御回路５２の通信回路５３と共通バス５４を介して接続される。即ち、制御信号入力端子は、信号処理基板２０に電源ボード２１が接続された場合、信号処理基板２０の通信回路５３と共通バス５４であるＳＣＬ及びＳＤＡを介して接続される。ＤＡＣ６１は、制御信号入力端子の電位を検出することによって、通信回路５３から送信されたディジタルの制御信号を取得する。
【００４７】
さらに、ＤＡＣ６１は、取得したディジタルの制御信号の一部と、取得したアドレスとを比較する。例えば、ＤＡＣ６１は、取得したディジタルの制御信号に含まれるアドレスと、アドレス取得端子によって取得したアドレスとを比較する。即ち、ＤＡＣ６１は、アドレスが一致するか否か判定する判定回路として機能する。
【００４８】
ＤＡＣ６１は、取得したディジタルの制御信号に含まれるアドレスと、アドレス取得端子によって取得したアドレスとが一致した場合、制御信号をディジタルアナログ変換してアナログの制御信号を生成する。ＤＡＣ６１は、アナログの制御信号を出力端子から出力する。具体的には、ＤＡＣ６１は、制御信号をディジタルアナログ変換することにより、制御信号で指定された電圧値の信号を生成する。ＤＡＣ６１は、生成した制御信号を参照電圧として電圧生成回路６２に供給する。また、ＤＡＣ６１は、取得したディジタルの制御信号に含まれるアドレスと、アドレス取得端子によって取得したアドレスとが一致しない場合、出力端子から信号を出力しない。
【００４９】
電圧生成回路６２は、図示されない商用電源から供給された交流電力に基づいて、ＤＡＣ６１から供給されるアナログの制御信号に応じた値の直流電圧を生成し、インクジェットヘッド１９に供給する。
【００５０】
上記したように、インクジェットヘッド制御装置の一部として機能する信号処理基板２０は、異なるアドレスが設定された子基板接続用の複数のコネクタと、この複数のコネクタに接続された共通バス５４とを備える。信号処理基板２０の電源制御回路５２の通信回路５３は、共通バス５４に対して、アドレスを指定して、インクジェットヘッド１９への電源供給を制御する為の制御信号を送信する。これにより、通信回路５３は、複数のコネクタ５５に接続される子基板としての電源ボード２１に対して制御信号を送信する。
【００５１】
また、インクジェットヘッド制御装置の一部として機能する電源ボード２１のＤＡＣ６１は、親基板としての信号処理基板２０に接続された場合、親基板のコネクタ５５に設定されたアドレスを取得することにより、自身のアドレスを認識する。即ち、親基板の複数のコネクタにそれぞれ異なるアドレスが設定される為、同じ仕様の子基板が親基板に接続されたとしても、異なるアドレスが複数の子基板に対して割り振られる。さらに、親基板から送信された制御信号で指定されたアドレスと自身のアドレスと一致するか否か判断する。電源ボード２１の電圧生成回路６２は、親基板から送信された制御信号で指定されたアドレスと自身のアドレスとが一致すると判定した場合、制御信号に基づいてインクジェットヘッド１９を駆動する為の直流電圧をインクジェットヘッド１９に出力する。
【００５２】
このような構成によると、電源ボード２１は、自身が指定されているか否かに応じて、受け取った制御信号に基づく処理を行うか否か判断する。これにより、電源ボード２１は、親基板としての信号処理基板２０の共通バス５４に全く同じ構成の電源ボード２１が複数接続された場合であっても、信号処理基板２０から供給された制御信号が自分宛の情報であるかどうかを判断し、処理を実行することができる。また、同じ仕様の子基板を親基板のコネクタ５５のどの位置に差しても、処理を実行することができる。この結果、電源ボード２１の汎用性を向上させることができる。
【００５３】
このような信号処理基板２０及び電源ボード２１によると、信号処理基板２０に１つの電源ボード２１を接続することにより、インク吐出列が２列であるインクジェットヘッド１９を駆動することができる。また、信号処理基板２０に２つの電源ボード２１を接続することにより、インク吐出列が４列であるインクジェットヘッド１９を駆動することができる。また、信号処理基板２０に３つの電源ボード２１を接続することにより、インク吐出列が６列であるインクジェットヘッド１９を駆動することができる。このように、上記実施形態に記載のインクジェットヘッド制御装置は、信号処理基板２０に接続する電源ボード２１の数によって、複数の種類のインクジェットヘッドに対応することができる。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１…インクジェットプリンタ、１１…通信部、１２…表示部、１３…操作部、１４…搬送モータ、１５…モータ駆動回路、１６…ポンプ、１７…ポンプ駆動回路、１８…主制御部、１９…インクジェットヘッド、２０…信号処理基板、２１…電源ボード、３１…ＣＰＵ、３２…ＲＯＭ、３３…ＲＡＭ、３４…不揮発性メモリ、４１…アクチュエータ、４２…ドライバＩＣ、５１…データ出力回路、５２…電源制御回路、５３…通信回路、５４…共通バス、５５…コネクタ、５６…アドレス回路、６１…ディジタルアナログコンバータ、６２…電圧生成回路。
【図１】
2018161785.tif 000003
【図２】
2018161785.tif 000004